【手続補正書】
【提出日】令和3年3月4日(2021.3.4)
【手続補正１】
【補正対象書類名】特許請求の範囲
【補正対象項目名】全文
【補正方法】変更
【補正の内容】
【特許請求の範囲】
【請求項１】
患者状態モニタリング方法を実行するために、表示装置に動作可能に接続された少なくとも１つの電子プロセッサによって読み取り可能かつ実行可能な命令を格納する非一時的記憶媒体であって、前記患者状態モニタリング方法は、
少なくとも１つのデータベースから患者の医療情報を取り出すステップと、
取り出された前記医療情報に臨床意思決定支援処理を適用することによって、少なくとも神経系システム、心血管系システム、及び呼吸器系システムを含む複数の身体システム又は生理機能のそれぞれについて状態を計算するステップと、
前記複数の身体システム又は生理機能に対応する複数のアイコンセクションを有する患者状態アイコンを前記表示装置上に表示するステップであって、各アイコンセクションは、前記患者の対応する前記身体システム又は生理機能の計算された前記状態を表すグラフィカル符号化で表示される、ステップとを含む、非一時的記憶媒体。
【請求項２】
前記患者状態アイコンの前記複数のアイコンセクションは、
前記心血管系システムに対応し、前記患者状態アイコンの中央に位置する領域を含む心血管アイコンセクションと、
前記神経系システムに対応し、前記心血管アイコンセクションの上に位置する領域を含む神経アイコンセクションと、
前記呼吸器系システムに対応し、前記患者状態アイコン内の前記心血管アイコンセクションの左右にそれぞれ位置する領域を含む左サブセクション及び右サブセクションを含む呼吸アイコンセクションとを含む、請求項１に記載の非一時的記憶媒体。
【請求項３】
前記複数の身体システム又は生理機能はさらに全身感染生理機能を含み、
前記患者状態アイコンの前記複数のアイコンセクションはさらに、前記全身感染生理機能に対応する全身感染アイコンセクションを含み、前記全身感染アイコンセクションは、前記患者状態アイコンの外側境界を含む、請求項１又は２に記載の非一時的記憶媒体。
【請求項４】
前記複数の身体システム又は生理機能はさらに、（ｉ）消化器系システムと（ｉｉ）腎系システムとのうちの少なくとも一方を含み、
前記患者状態アイコンの前記複数のアイコンセクションはさらに、（ｉ）前記消化器系システムに対応し、前記心血管アイコンセクションの下に位置する胃腸アイコンセクションと、（ｉｉ）前記腎系システムに対応し、前記心血管アイコンセクションの下に位置する腎臓アイコンセクションとのうちの少なくとも一方を含む、請求項１から３のいずれか一項に記載の非一時的記憶媒体。
【請求項５】
前記複数の身体システム又は生理機能はさらに血液生理機能を含み、
前記患者状態アイコンの前記複数のアイコンセクションはさらに、前記血液生理機能に対応する血液アイコンセクションを含み、前記血液アイコンセクションは、前記患者状態アイコンの内側境界線を含む、請求項１から４のいずれか一項に記載の非一時的記憶媒体。
【請求項６】
各アイコンセクションは、前記患者の対応する前記身体システム又は生理機能の計算された前記状態を表す色を含むグラフィカル符号化で前記表示装置上に表示される、請求項１から５のいずれか一項に記載の非一時的記憶媒体。
【請求項７】
前記グラフィカル符号化は、白色が対応する前記身体システム又は生理機能の通常の計算された状態を表し、黄色が対応する前記身体システム又は生理機能の重大ではない異常な計算された状態を表し、赤色が対応する前記身体システム又は生理機能の重大な異常な計算された状態を表す符号化スキームに従う、請求項１から６のいずれか一項に記載の非一時的記憶媒体。
【請求項８】
白色、黄色、又は赤色以外の背景色は、対応する前記身体システム又は生理機能の不確定の計算された状態を表す符号化スキームに従う、請求項７に記載の非一時的記憶媒体。
【請求項９】
前記患者状態モニタリング方法はさらに、
取り出された前記医療情報から、前記複数の身体システム又は生理機能のうちの治療を受けている身体システム又は生理機能の治療のために前記患者に送達されている医薬療法を識別するステップと、
前記患者状態アイコンを前記表示装置上に表示する前記ステップは、治療を受けている前記身体システム又は生理機能に対応する前記アイコンセクションに前記医薬療法を表す医薬療法インジケータの注釈を付すステップとを含む、請求項１から８のいずれか一項に記載の非一時的記憶媒体。
【請求項１０】
前記医薬療法インジケータは、前記医薬療法によって生成される前記患者を流れる流体の流れを表す１つ又は複数の矢印を含む、請求項９に記載の非一時的記憶媒体。
【請求項１１】
前記患者状態アイコンを前記表示装置上に表示する前記ステップは、前記患者の医療ワークフロー状態を示す形状を有する前記患者状態アイコンを表示するステップを含み、前記医療ワークフロー状態は、術前ワークフロー状態、術中状態、術後状態、成人患者状態、小児患者状態、及び母親と胎児両方の状態を示す妊娠状態のうちの少なくとも１つを含む、請求項１から１０のいずれか一項に記載の非一時的記憶媒体。
【請求項１２】
少なくとも１つのデータベースから患者の医療情報を取り出すステップと、
取り出された前記医療情報に臨床意思決定支援処理を適用することによって、少なくとも神経系システム、心血管系システム、及び呼吸器系システムを含む複数の身体システム又は生理機能のそれぞれについて状態を計算するステップと、
前記複数の身体システム又は生理機能に対応する複数のアイコンセクションを有する患者状態アイコンを前記表示装置上に表示するステップであって、各アイコンセクションは、前記患者の対応する前記身体システム又は生理機能の計算された前記状態のカラー符号化で表示される、ステップとを含み、身体システムに対応する前記アイコンセクションは、前記患者の身体の冠状面における対応する前記身体システムのマップを形成する、患者状態モニタリング方法。
【請求項１３】
前記複数の身体システム又は生理機能はさらに、少なくとも全身感染生理機能、消化器系システム、腎系システム、及び血液生理機能を含み、
前記患者状態アイコンを表示する前記ステップは、
前記心血管系システムに対応し、前記アイコンの中央に位置する領域を含む心血管アイコンセクションと、
前記神経系システムに対応し、前記心血管アイコンセクションの上に位置する領域を含む神経アイコンセクションと、
前記呼吸器系システムに対応し、前記患者状態アイコン内の前記心血管アイコンセクションの左右にそれぞれ位置する領域を含む左サブセクション及び右サブセクションを含む呼吸アイコンセクションと、
前記全身感染生理機能に対応し、前記患者状態アイコンの外側境界を含む全身感染アイコンセクションと、
前記消化器系システムに対応し、前記心血管アイコンセクションの下に位置する領域を含む胃腸アイコンセクションと、
前記腎系システムに対応し、前記心血管アイコンセクションの下に位置する領域を含む腎臓アイコンセクションと、
前記血液生理機能に対応し、前記患者状態アイコンの内側境界線を含む血液アイコンセクションとを含む前記複数のアイコンセクションを有する前記患者状態アイコンを表示するステップを含む、請求項１２に記載の方法。
【請求項１４】
前記患者状態アイコンを表示する前記ステップは、
各アイコンセクションを、前記患者の対応する前記身体システム又は生理機能の計算された前記状態を表す色によってカラー符号化するステップを含み、前記カラー符号化は、
白色が対応する前記身体システム又は生理機能の通常の計算された状態を表し、
黄色が対応する前記身体システム又は生理機能の重大ではない異常な計算された状態を表し、
赤色が対応する前記身体システム又は生理機能の重大な異常な計算された状態を表し、
白色、黄色、又は赤色以外の背景色が対応する前記身体システム又は生理機能の不確定の計算された状態を表す符号化スキームに従う、請求項１２又は１３に記載の方法。
【請求項１５】
取り出された前記医療情報から、前記複数の身体システム又は生理機能のうちの治療を受けている身体システム又は生理機能の治療のために前記患者に送達されている医薬療法を識別するステップと、
治療を受けている前記身体システム又は生理機能に対応する前記アイコンセクションに前記医薬療法を表す医薬療法インジケータの注釈を付すステップとをさらに含み、前記医薬療法インジケータは、前記医薬療法によって生成される前記患者を流れる流体の流れを表す１つ又は複数の矢印を含む、請求項１２から１４のいずれか一項に記載の方法。